(57)【特許請求の範囲】
【請求項１】
根太と床仕上材との間に設置される床暖房パネルにおいて、
少なくとも１本の前記根太の両側に張り出すように、３本以上の前記根太上に敷設される、発熱体が内蔵されたパネル本体と、
このパネル本体の裏面に貼着された複数の補強板とを備え、
複数の前記補強板が、前記根太間部分に対応する位置にそれぞれ配設されていることを特徴とする床暖房パネル。
【請求項２】
前記パネル本体の表面に、熱伝導性の良好な均熱シートを貼着した請求項１に記載の床暖房パネル。
【請求項３】
一定間隔で並列的に配設された複数の根太と、
前記根太の上に敷設される床暖房パネルと、
前記床暖房パネルの上に敷設される床仕上材とを備え、
前記床暖房パネルが、少なくとも１本の前記根太の両側に張り出すように、３本以上の前記根太の上に載置される、発熱体が内蔵されたパネル本体と、前記パネル本体の裏面の前記根太間部分にそれぞれ貼着された複数の補強板とを備えている床暖房構造。
【請求項４】
前記床仕上材が、熱伝導性の良好な均熱シートを介して前記床暖房パネルの上に敷設されている請求項３に記載の床暖房構造。
【発明の詳細な説明】
【０００１】
【発明の属する技術分野】
この発明は、根太と床仕上材との間に設置される、床仕上材分離タイプの床暖房パネルに関する。
【０００２】
【従来の技術】
電気ヒータ等の発熱体が内蔵された床暖房パネルとしては、床仕上材として使用される床仕上材一体型と、床下地材として使用される床仕上材分離型とがある。
【０００３】
前記床仕上材一体型の床暖房パネルは、図６に示すように、電気ヒータ等の発熱体５３が内蔵された合板等からなるパネル本体５１と、このパネル本体５１の表面に貼着された突板等の表面化粧材５２とから構成されており、この床暖房パネル５０は、通常、根太Ａの上に敷設された床下地材Ｂの上に、床仕上材として敷設するようになっている。
【０００４】
一方、前記床仕上材分離型の床暖房パネルは、図７に示すように、合板等によって形成されたパネル本体６１の内部に電気ヒータ等の発熱体６２が内蔵されたものであり、この床暖房パネル６０は、同図（ａ）に示すように、根太Ａの上に直接、または、同図（ｂ）に示すように、根太Ａの上に床下地材Ｂを介して敷設され、さらに、その上に床仕上げ材Ｃが敷設されるようになっている。
【０００５】
なお、上述したような床暖房パネル５０、６０を使用する場合は、室内に対する暖房効果を高めるために、根太Ａ間に断熱材Ｄを設置するのが一般的である（図６及び図７参照）。
【０００６】
【発明が解決しようとする課題】
ところで、上述したような床暖房パネル５０、６０は、合板等からなるパネル本体５１、６１内に、ある程度の平面領域を有する電気ヒータ等の発熱体が内蔵されることにより、同一材料によって形成された同一厚みのパネルに比べて、パネル本体５１、６１自体の強度が低下するといった問題があるが、床仕上材一体型の床暖房パネル５０の場合は、根太Ａの上に所定の強度を有する床下地材Ｂが予め敷設されているため、床仕上材としての床暖房パネル５０の強度低下はあまり問題とならず、このタイプの床暖房パネル５０は、通常の床仕上材と同一の厚みに設定されている。
【０００７】
これに対して、床仕上材分離型の床暖房パネル６０は、床下地材として使用されるため、床暖房パネル６０自体の強度低下、特に顕著に現れる根太間部分の強度低下を無視することができず、図７（ａ）に示すように、根太Ａ上に直接敷設する場合は、パネル本体６１の厚みを通常の床下地材に比べて大きくしたり、同図（ｂ）に示すように、通常使用される床下地材Ｂを介して根太Ａ上に敷設するようにしているので、床暖房を行おうとするフロアが一段高くなり、床暖房を行わないフロアとの間に段差を生じるといった問題がある。
【０００８】
このように、床暖房を行うフロアと床暖房を行わないフロアとの間に段差が生じないという点において、床仕上材分離型の床暖房パネル６０よりも床仕上材一体型の床暖房パネル５０のほうが好ましい形態であるといえる。
【０００９】
しかしながら、床仕上材分離型の床暖房パネル６０には、床仕上材一体型の床暖房パネル５０では得られない、以下に示すような多くの利点がある。
【００１０】
▲１▼合板等の木質パネルには多少なりとも反りや歪みが生じているので、このような木質パネルによって形成される床仕上材の平面サイズを大きくすると、床仕上材を敷設した際に、その反りや歪みの影響が床仕上材の継目部分に発生する段差として顕著に現れることになる。
【００１１】
このため、床仕上材については、平面サイズの小さいものを多数組み合わせて使用されるのが一般的になっており、床仕上材として使用される床仕上材一体型の床暖房パネル５０についても、その平面サイズを必要以上に大きくすることができず、平面サイズの小さいものを多数組み合わせて使用することになる。
【００１２】
しかし、平面サイズの小さい床暖房パネル５０を多数組み合わせて使用する場合、発熱体である電気ヒータ等の結線部分が必然的に多くなり、それに伴って、結線に必要な接続コネクタの数が多くなると共に施工時における結線作業にも時間と手間がかかり、製品コスト及び施工コストが増大することになる。
【００１３】
これに対して、床下地材の場合は、継目部分に発生する段差等についてはある程度無視することができるので、床下地材として使用される床仕上材分離型の床暖房パネル６０では、その平面サイズを大きくすることにより、電気ヒータ等の結線部分の数を少なくすることができるので、最終的に製品コスト及び施工コストの低減を図ることができる。
【００１４】
▲２▼上述したように床仕上材は、平面サイズの小さいものを多数枚使用して敷設されるため、敷設したときに各床仕上材間で色違いが発生しないように、同一時期に製造された色彩の近似した床仕上材が同一の施工場所に出荷されるように管理されている。
【００１５】
しかし、床仕上材として使用される床暖房パネル５０については、電気ヒータ等の発熱体の内蔵工程が別途必要となるので、そういった製品管理が困難になり、必ずしも、同一時期に製造された色彩の近似した床仕上材が同一の施工場所に出荷されるとは限らず、敷設状態において、各床暖房パネル５０間で色違いが発生する可能性が高くなるといった問題がある。
【００１６】
これに対して、床下地材として使用される床仕上材分離型の床暖房パネル６０については、敷設された各床暖房パネル６０間の色違いを全く考慮する必要がない。
【００１７】
▲３▼現在では、種々のデザイン、色彩、模様が施された多種多様の床仕上材が販売され、使用されているが、通常の床仕上材と同様に多種多様の床仕上材一体型の床暖房パネル５０を製造することは難しく、こういった床暖房パネル５０を用いて床暖房を行うフロアでは、デザイン面において制限されるといった問題がある。
【００１８】
これに対して、床下地材として使用される床仕上材分離型の床暖房パネル６０を用いて床暖房を行う場合、施主の要望にそった床仕上材を選択して敷設することができるので、床暖房を行うフロアに対するデザイン面での自由度が広がるといった利点がある。
【００１９】
そこで、この発明の課題は、上述したように、床仕上材一体型の床暖房パネルに比べて利点が多く、使い勝手のよい床仕上材分離型の床暖房パネルを用いて施工された床暖房フロアと、床暖房を行わないフロアとの間に段差が生じないように、通常使用される床下地材と実質的に同一の厚みを維持しつつ、床下地材として要求される強度を十分に確保することのできる床仕上材分離型の床暖房パネル及びその床暖房パネルを用いた床暖房構造を提供することにある。
【００２０】
【課題を解決するための手段】
上記の課題を解決するため、この発明は、根太と床仕上材との間に設置される床暖房パネルにおいて、少なくとも１本の前記根太の両側に張り出すように、３本以上の前記根太上に敷設される、発熱体が内蔵されたパネル本体と、このパネル本体の裏面に貼着された複数の補強板とによって構成し、複数の前記補強板を、前記根太間部分に対応する位置にそれぞれ配設したのである。
【００２１】
以上のように構成された床暖房パネルでは、強度低下が顕著に現れる根太間部分に対応する位置には、パネル本体の裏面側に補強板が貼着されているため、根太上に載置されるパネル本体の厚みを大きくすることなく、発熱体を内蔵することに伴うパネル本体の強度低下を有効に抑えることができる。
【００２２】
以上のように構成された床暖房パネルは、一定間隔で並列的に配設された複数の根太のうち、少なくとも１本の前記根太の両側に張り出すように、３本以上の前記根太の上に、前記補強板が根太間に位置するように敷設され、さらにその上に床仕上材が敷設されることで、床暖房構造を構成する。
【００２３】
なお、前記床暖房パネルの熱を前記床仕上材に均一に伝達させるためには、前記床仕上材を、熱伝導性の良好な均熱シートを介して前記床暖房パネルの上に敷設しておくことが望ましく、施工上の観点からは、前記パネル本体の表面に予め均熱シートを貼着した床暖房パネルや、裏面側に予め均熱シートを貼着した床仕上材を使用することが望ましい。
【００２４】
なお、ここにいう「熱伝導性の良好な均熱シート」としては、例えば、アルミニウム箔、銅箔等の金属箔や、アルミニウム板、銅板、亜鉛板等の金属板が挙げられる。
【００２５】
【発明の実施の形態】
以下、実施の形態について図面を参照して説明する。図１に示すように、この床暖房構造１は、図示しない大引の上に直交するように、一定間隔で並列的に配設された複数の根太１０と、この根太１０の上に敷設される床暖房パネル２０と、この床暖房パネル２０の上に敷設される床仕上材３０と、根太１０間に配設された断熱材４０とから構成されている。
【００２６】
前記床暖房パネル２０は、図２ないし図４に示すように、通常使用される床下地材と同一厚み（１２ｍｍ）の３プライ合板や５プライ合板等からなるパネル本体２１と、このパネル本体２１に内蔵される発熱体としての電気ヒータ２５と、パネル本体２１の裏面に貼着される、厚み３ｍｍの合板等からなる補強板２６とから構成されており、この床暖房パネル２０の表面には、パネル本体２１に内蔵された電気ヒータ２５の熱を床仕上材３０に均一に伝達させるための均熱シートとして、アルミニウム箔２７が予め貼着されている。
【００２７】
前記パネル本体２１には、図２（ａ）、図３及び図４に示すように、前記電気ヒータ２５を収容するための複数の収容凹部２２が形成されていると共に、この収容凹部２２に収容された電気ヒータ２５の電源線や電気ヒータ２５に取り付けられた図示しないサーモスタットからの制御線等をパネル本体２１の外に導くための電線収容溝２４が形成されている。
【００２８】
前記収容凹部２２は、図３及び図４に示すように、電気ヒータ２５が収容されるヒータ収容部２２ａと、このヒータ収容部２２ａより一回り大きい蓋装着部２２ｂとから構成されており、ヒータ収容部２２ａに電気ヒータ２５を収容した状態で、蓋装着部２２ｂに高圧メラミン板等からなる蓋２３を嵌め込み、ビス止め等によって固定することで、ヒータ収容部２２ａが閉塞されるようになっている。
【００２９】
前記収容凹部２２は、図３及び図４に示すように、パネル本体２１を彫り込むことによって形成されているが、必ずしもこのような形態を採用する必要はなく、例えば、図５に示すように、パネル本体２８を、基板となる下層板２８ａ、仕切板２８ｂ及び上層板２８ｃによって構成し、下層板２８ａ上に複数の仕切板２８ｂを固着することにより電気ヒータ２５の収容凹部２９を形成し、この収容凹部２９に電気ヒータ２５を収容した状態で、下層板２８ａと上層板２８ｃとを仕切板２８ｂを介して貼り合わせるものであってもよい。
【００３０】
但し、このような構成を採用する場合は、通常、上層板２８ｃと仕切板２８ｂとを接着剤を介して重ね合わせ、プレスすることによって貼り合わせることになるが、プレスする際に上層板２８ｃが位置ずれを起こし、下層板２８ａの周縁から上層板２８ｃがはみ出すことが多く、このようにして形成されたパネル本体２８の周縁部を綺麗に仕上げようとすると、最後にパネル本体２８の周囲をカットしなければならない。しかし、電気ヒータ２５が内蔵されたパネル本体２８は、その周縁部から電気ヒータ２５の電源線等が伸び出しているため、こういった電源線等が邪魔になってパネル本体２８をカットしずらいといった問題がある。
【００３１】
また、上述したように、別部材である仕切板２８ｂを介して上層板２８ｃと下層板２８ａとを貼り合わせたパネル本体２８は、図３及び図４に示すように、仕切部分が本体部に一体化されたパネル本体２１に比べて強度が落ちるといった問題もある。
【００３２】
従って、パネル本体に形成される収容凹部は、パネル本体を彫り込むことによって形成するほうがより好ましい形態であるといえる。
【００３３】
前記補強板２６は、図１及び図２（ｂ）に示すように、敷設しようとする根太１０間部分に位置するように、根太１０の幅より若干大きい一定の間隔をあけて並列的に配設されており、この床暖房パネル２０を根太１０上に敷設した状態では、パネル本体２１の裏面に貼着された補強板２６が根太１０の間に入り込むようになっている。
【００３４】
なお、この床暖房パネル２０では、上述したように、補強板２６を合板によって形成すると共にその厚みを３ｍｍに設定しているが、補強板２６の材質や厚みについては、パネル本体２１の強度を考慮して適宜設定すればよい。
【００３５】
前記床仕上げ材３０は、３プライ合板や５プライ合板等によって形成された基材の上面に突板等の表面化粧材が貼着されたものであり、突板の繊維方向と基材の表層部分の繊維方向とが相互に直交するようになっている。
【００３６】
また、この床仕上げ材３０は、上述した床暖房パネル２０より小さなサイズのものを順番に並べて敷きつめることで床面が形成されるようになっており、各床仕上げ材３０は、接着剤を介して床暖房パネル２０の上面、即ち、アルミニウム箔２７の上面に貼り合わせた状態で、床暖房パネル２０の収容凹部２２の外側に釘止めされている。
【００３７】
以上のように構成された床暖房構造１では、パネル本体２１の裏面側に貼着された補強板２６が根太１０の間に入り込むようになっているため、補強板２６の厚みが根太１０より上方側の厚みに影響を与えることがなく、しかも、電気ヒータ２５を内蔵することに伴うパネル本体２１の強度低下を、補強板２６によって抑えることができるので、パネル本体２１を通常使用される床下地材の厚み（１２ｍｍ）と同一厚みに設定した場合でも、床暖房パネル２０について十分な強度を確保することができる。
【００３８】
従って、従来の床仕上材分離型の床暖房パネルのように、発熱体６２が内蔵されたパネル本体６１の強度低下を補うために、パネル本体６１の厚みを大きくしたり、別途床下地材Ｂを敷設したりするといったことを行う必要がなく、床暖房を行わないフロアに使用される床下地材と同一厚みに設定されたパネル本体２１を有する床暖房パネル２０を用いることにより、床暖房を行わないフロアとの間に段差が生じない床暖房フロアを実現することができる。また、この床暖房構造１は床仕上材分離型の床暖房パネル２０を使用しているため、上述したような床仕上材分離型の床暖房パネルが本来有している種々の利点を、兼ね備えていることはいうまでもない。
【００３９】
なお、この実施形態では、発熱体として電気ヒータ２５を使用しているが、これに限定されるものではなく、例えば、Ｐ特性を有する特殊半導体インキを耐熱性特殊フィルムに銅箔電極と共に溶剤（接着剤）によって定着加工した後、遠赤外線により乾燥処理した自己温度制御特性を有している面状発熱体や、熱源として温水を用いる温水チューブ等の種々の発熱体を採用することができる。
【００４０】
また、この実施形態では、均熱シートとしてのアルミニウム箔を予め床暖房パネル２０の表面に貼着しているが、こういったものに限定されるものではなく、例えば、裏面に予めアルミニウム箔等の均熱シートが貼着された床仕上材３０を使用したり、施工段階で、床暖房パネル２０と床仕上げ材３０との間にアルミニウム箔等の均熱シートを挟み込むものであってもよい。
【００４１】
【発明の効果】
以上のように、この発明の床暖房パネルは、根太上に敷設されるパネル本体の裏面における複数の根太間部分に対応する位置に補強板がそれぞれ貼着されているため、パネル本体の厚みを大きくすることなく、床暖房パネルの強度を大きくすることができる。
【００４２】
従って、この床暖房パネルを、一定間隔で並列的に配設された複数の根太のうち、少なくとも１本の前記根太の両側に張り出すように、３本以上の前記根太の上に、前記補強板が根太間に位置するように敷設し、さらにその上に床仕上材を敷設することで、床暖房構造を構成する際、前記パネル本体の厚みを、床暖房を行わないフロアに使用される通常の床下地材と同一厚みに設定した場合でも、床下地材として要求される強度を十分に確保することができるので、この床暖房パネルを使用することにより、床暖房を行わない通常のフロアとの間に段差が生じない床暖房フロアを実現することが可能となる。
【図面の簡単な説明】
【図１】この発明にかかる床暖房パネルを用いた床暖房構造を示す概略断面図である。
【図２】（ａ）は同上の床暖房パネルを示す平面図、（ｂ）は同上の床暖房パネルを示す裏面図である。
【図３】図２（ａ）のＸ−Ｘ線に沿った断面図である。
【図４】図２（ａ）のＹ−Ｙ線に沿った断面図である。
【図５】床暖房パネルの他の実施形態を示す断面図である。
【図６】従来の床暖房構造を示す概略断面図である。
【図７】従来の他の床暖房構造を示す概略断面図である。
【符号の説明】
１  床暖房構造
１０  根太
２０  床暖房パネル
２１、２８  パネル本体
２５  電気ヒータ
２６  補強板
２７  アルミニウム箔
３０  床仕上げ材
【図１】
0003986156.tif 000002
【図２】
0003986156.tif 000003
【図３】
0003986156.tif 000004
【図４】
0003986156.tif 000005
【図５】
0003986156.tif 000006
【図６】
0003986156.tif 000007
【図７】
0003986156.tif 000008